(57)【特許請求の範囲】
【請求項１】
原稿の読み取りに関する複数の処理を有し、前記複数の処理から選択された処理を実行する画像処理装置であって、
前記複数の処理それぞれに原稿の向きを示す情報を用いる種類であるか否かを対応付けた対応情報を記憶する記憶部と、
実行の対象として、前記複数の処理から選択された処理が、前記原稿の向きを示す情報を用いる処理であるか否かを前記記憶部に記憶された前記対応情報に基づいて判定する対象処理判定部と、
前記複数の処理から選択された処理が原稿の向きを示す情報を用いる処理であると判定された場合、前記複数の処理から選択された処理の実行を指示する第１指示の受付後に原稿の向きの確認を促す確認画面を表示装置に表示する表示制御部と、
前記確認画面に含まれるボタンであって、前記複数の処理から選択された処理の実行を指示する第２指示を受け付けるボタンの操作に応じて、前記複数の処理から選択された処理を実行する処理部と、を有し、
前記確認画面は、前記画像処理装置が有する、ＡＤＦに上向きにセットされた原稿を読み取る第１読取部で前記原稿を読み取る場合における前記原稿の向きを示す第１画像と、前記画像処理装置が有する、コンタクトガラス上に下向きにセットされた原稿を読み取る第２読取部で前記原稿を読み取る場合における前記原稿の向きを示す第２画像と、前記ボタンとを含む、画像処理装置。
【請求項２】
前記処理部を備える本体装置と、前記処理部が実行する処理に関する操作を受け付ける操作装置を備え、
前記操作装置は、
前記記憶部と、前記対象処理判定部と、前記表示制御部と、前記確認画面に含まれる前記ボタンの操作に応じて前記処理の実行要求を前記本体装置に対して送信する送信部と、を備える請求項１に記載の画像処理装置。
【請求項３】
前記確認画面は、
前記原稿における文字の向きを示す画像と、前記画像と対応したメッセージとを含む、請求項１又は２記載の画像処理装置。
【請求項４】
前記確認画面において、前記第１指示を受け付けた処理の前記第２指示がなされたとき、
前記第１指示を受け付けた処理を実行する請求項１乃至３の何れか一項に記載の画像処理装置。
【請求項５】
原稿の読み取りに関する複数の処理を有し、前記複数の処理から選択された処理を実行する情報処理装置であって、
前記複数の処理それぞれに原稿の向きを示す情報を用いる種類であるか否かを対応付けた対応情報を記憶する記憶部と、
実行の対象として、前記複数の処理から選択された処理が、前記原稿の向きを示す情報を用いる処理であるか否かを前記記憶部に記憶された前記対応情報に基づいて判定する対象処理判定部と、
前記複数の処理から選択された処理が原稿の向きを示す情報を用いる処理であると判定された場合、前記複数の処理から選択された処理の実行を指示する第１指示の受付後に原稿の向きの確認を促す確認画面を表示装置に表示する表示制御部と、
前記確認画面に含まれるボタンであって、前記複数の処理から選択された処理の実行を指示する第２指示を受け付けるボタンの操作に応じて、前記複数の処理から選択された処理を実行する処理部と、を有し、
前記確認画面は、前記情報処理装置と接続された本体装置が有する、ＡＤＦに上向きにセットされた原稿を読み取る第１読取部で前記原稿を読み取る場合における前記原稿の向きを示す第１画像と、前記本体装置が有する、コンタクトガラス上に下向きにセットされた原稿を読み取る第２読取部で前記原稿を読み取る場合における前記原稿の向きを示す第２画像と、前記ボタンとを含む、情報処理装置。
【請求項６】
原稿の読み取りに関する複数の処理を有し、前記複数の処理から選択された処理を実行するコンピュータにおいて実行されるプログラムであって、
前記複数の処理それぞれに原稿の向きを示す情報を用いる種類であるか否かを対応付けた対応情報を記憶する記憶部を参照し、
実行の対象として、前記複数の処理から選択された処理が、前記原稿の向きを示す情報を用いる処理であるか否かを前記対応情報に基づいて判定し、
前記複数の処理から選択された処理が原稿の向きを示す情報を用いる処理であると判定された場合、前記複数の処理から選択された処理の実行を指示する第１指示の受付後に原稿の向きの確認を促す確認画面を表示装置に表示し、
前記確認画面に含まれるボタンであって、前記複数の処理から選択された処理の実行を指示する第２指示を受け付けるボタンの操作に応じて、前記処理を実行し、
前記確認画面は、前記コンピュータと接続された本体装置が有する、ＡＤＦに上向きにセットされた原稿を読み取る第１読取部で前記原稿を読み取る場合における前記原稿の向きを示す第１画像と、前記本体装置が有する、コンタクトガラス上に下向きにセットされた原稿を読み取る第２読取部で前記原稿を読み取る場合における前記原稿の向きを示す第２画像と、前記ボタンとを含む、処理を前記コンピュータに実行させるプログラム。
【発明の詳細な説明】
【技術分野】
【０００１】
本発明は、画像処理装置、情報処理装置及びプログラムに関する。
【背景技術】
【０００２】
従来の画像処理装置等では、ＡＤＦ（Auto Document Feeder）やコンタクトガラス等において、原稿の方向を設定し、設定された方向に原稿をセットすることで、ユーザの意図した印刷面で処理が実行される。
【０００３】
従来の画像処理装置において、原稿の方向の設定が求められる処理とは、例えば両面印刷処理や集約印刷処理、ステープル処理等である。
【発明の概要】
【発明が解決しようとする課題】
【０００４】
従来の画像処理装置では、ユーザが原稿の方向の設定が求められていることを認識していない場合、誤った方向にセットされた原稿を読み取って処理を実行する可能性があり、この場合にはユーザが意図しない処理結果が出力されてしまう。
【０００５】
開示の技術は、ユーザの意図しない処理結果が出力されることを抑制することを目的としている。
【課題を解決するための手段】
【０００６】
開示の技術は、原稿の読み取りに関する複数の処理を有し、前記複数の処理から選択された処理を実行する画像処理装置であって、前記複数の処理それぞれに原稿の向きを示す情報を用いる種類であるか否かを対応付けた対応情報を記憶する記憶部と、実行の対象として、前記複数の処理から選択された処理が、前記原稿の向きを示す情報を用いる処理であるか否かを前記記憶部に記憶された前記対応情報に基づいて判定する対象処理判定部と、前記複数の処理から選択された処理が原稿の向きを示す情報を用いる処理であると判定された場合、前記複数の処理から選択された処理の実行を指示する第１指示の受付後に原稿の向きの確認を促す確認画面を表示装置に表示する表示制御部と、前記確認画面に含まれるボタンであって、前記複数の処理から選択された処理の実行を指示する第２指示を受け付けるボタンの操作に応じて、前記複数の処理から選択された処理を実行する処理部と、を有し、前記確認画面は、前記画像処理装置が有する、ＡＤＦに上向きにセットされた原稿を読み取る第１読取部で前記原稿を読み取る場合における前記原稿の向きを示す第１画像と、前記画像処理装置が有する、コンタクトガラス上に下向きにセットされた原稿を読み取る第２読取部で前記原稿を読み取る場合における前記原稿の向きを示す第２画像と、前記ボタンとを含む。
【発明の効果】
【０００７】
開示の技術によれば、ユーザの意図しない処理結果が出力されることを抑制できる。
【図面の簡単な説明】
【０００８】
【図１】画像処理装置のハードウェア構成の一例を示す図である。
【図２】画像処理装置の操作装置及び本体装置に含まれるプログラム群の階層構造の一例を示す図である。
【図３】操作装置の機能を説明する図である。
【図４】対象処理記憶部に格納された一覧を説明する図である。
【図５】操作装置の動作を説明するフローチャートである。
【図６】操作装置の操作パネルにおける画面遷移の例を示す図である。
【図７】確認画面の一例を示す図である。
【図８】本実施形態の効果を説明する図である。
【発明を実施するための形態】
【０００９】
以下に図面を参照して、本実施形態について説明する。本実施形態では、原稿をセットする向きの設定が要求される処理の実行指示がなされた際に、原稿の向きの確認を促す確認画面を表示させる。
【００１０】
図１は、画像処理装置のハードウェア構成の一例を示す図である。
【００１１】
本実施形態の画像処理装置１００は、複合機等のＭＦＰであり、例えば、コピー機能、スキャン機能、ＦＡＸ機能、プリント機能等の画像処理機能を有している。
【００１２】
図１に示すように、画像処理装置１００は、操作装置２００及び本体装置３００を有している。
【００１３】
操作装置２００は、本体装置３００に実行させる画像処理機能の選択、画像処理機能を実行させるための各種設定値の入力、画像処理機能の実行を開始させるための実行指示の入力、表示画面の切り替え等、ユーザが各種操作を行う際に用いられる。
【００１４】
本体装置３００は、操作装置２００におけるユーザの各種操作に応じて、画像処理機能の実行等の各種の処理を実行する。また、本体装置３００は、操作装置２００に対して、各種のメッセージを表示させるための要求を行う。
【００１５】
本実施形態の操作装置２００は、ＣＰＵ（Central Processing Unit）２０１、ＲＯＭ（Read Only Memory）２０２、及びＲＡＭ（Random Access Memory）２０３を有している。また、操作装置２００は、フラッシュメモリ２０４、操作パネル２０５、接続Ｉ／Ｆ２０６、及び通信Ｉ／Ｆ２０７を有している。これら各ハードウェアは、バス２０８を介して相互に接続されている。
【００１６】
ＣＰＵ２０１は、ＲＡＭ２０３をワークエリアとしてＲＯＭ２０２又はフラッシュメモリ２０４に記憶された各種プログラムを実行することにより、操作装置２００全体を制御する演算装置である。
【００１７】
ＲＯＭ２０２は、電源を切ってもデータを保持することができる不揮発性の半導体メモリ（記憶装置）である。ＲＡＭ２０３は、プログラムやデータを一時保存する揮発性の半導体メモリ（記憶装置）である。
【００１８】
フラッシュメモリ２０４は、不揮発性の記憶媒体であり、ＣＰＵ２０１が実行する各種プログラム（例えば、本実施形態を実現するプログラム）や各種データを記憶する。
【００１９】
操作パネル２０５は、タッチパネル等であり、ユーザが各種操作を行う際に用いられる。また、操作パネル２０５は、各種のメッセージを表示する。すなわち、操作パネル２０５は、例えば、画像処理装置１００の各種機能に対してユーザが各種操作を行うためのＧＵＩ（Graphical User Interface）表示画面や、画像処理装置１００の処理結果等の情報（エラーメッセージやガイダンスメッセージ等）を表示する。
【００２０】
接続Ｉ／Ｆ２０６は、通信路２０９を介して本体装置３００と通信するためのインタフェースである。接続Ｉ／Ｆ２０６には、例えば、ＵＳＢ（Universal Serial Bus）規格のインタフェースが用いられる。
【００２１】
通信Ｉ／Ｆ２０７は、他の機器等と通信するためのインタフェースである。通信Ｉ／Ｆ２０７は、例えば、Ｗｉ−Ｆｉ規格の無線ＬＡＮが用いられる。
【００２２】
本実施形態の本体装置３００は、ＣＰＵ３０１、ＲＯＭ３０２、及びＲＡＭ３０３を有している。また、本体装置３００は、ＨＤＤ（Hard Disk Drive）３０４、画像処理エンジン３０５、接続Ｉ／Ｆ３０６、及び通信Ｉ／Ｆ３０７を有している。これら各ハードウェアは、バス３０８を介して相互に接続されている。
【００２３】
２５１ＣＰＵ３０１は、ＲＡＭ３０３をワークエリアとしてＲＯＭ３０２又はＨＤＤ３０４に記憶された各種プログラムを実行することにより、本体装置３００全体を制御する演算装置である。
【００２４】
ＲＯＭ３０２は、電源を切ってもデータを保持することができる不揮発性の半導体メモリ（記憶装置）である。ＲＡＭ３０３は、プログラムやデータを一時保存する揮発性の半導体メモリ（記憶装置）である。
【００２５】
ＨＤＤ３０４は、不揮発性の記憶媒体であり、ＣＰＵ３０１が実行する各種プログラム（例えば、本実施形態を実現するプログラム）や各種データを記憶する。
【００２６】
画像処理エンジン３０５は、コピー機能、スキャン機能、ＦＡＸ機能、及びプリント機能等の各種の画像処理機能を実現するための画像処理を行うハードウェアである。
【００２７】
画像処理エンジン３０５には、例えば、原稿を光学的に読み取って画像データを生成するスキャナ、用紙等のシート材への印刷を行うプロッタ、及びＦＡＸ通信を行うＦＡＸ通信装置等が含まれる。また、画像処理エンジン３０５には、例えば、印刷済みのシート材を仕分けるフィニッシャや、原稿を自動給送するＡＤＦ（自動原稿給送装置）等が含まれていても良い。
【００２８】
接続Ｉ／Ｆ３０６は、通信路２０９を介して操作装置２００と通信するためのインタフェースである。接続Ｉ／Ｆ３０６には、例えば、ＵＳＢ規格のインタフェースが用いられる。
【００２９】
通信Ｉ／Ｆ３０７は、他の機器等と通信するためのインタフェースである。通信Ｉ／Ｆ３０７は、例えば、Ｗｉ−Ｆｉ規格の無線ＬＡＮが用いられる。
【００３０】
本実施形態の画像処理装置１００は、上記ハードウェア構成を有することにより、後述する各種処理を実現することができる。
【００３１】
尚、図２では、画像処理装置１００が操作装置２００を有している構成を一例として示したが、これに限定されない。操作装置２００は、例えば、タブレット端末、スマートフォン、携帯電話、ＰＤＡ等の情報処理端末であっても良い。すなわち、これらの情報処理端末は、操作装置２００の通信Ｉ／Ｆ２０７又は本体装置３００の通信Ｉ／Ｆ３０７を介して画像処理装置１００と通信することにより、当該画像処理装置１００を制御することができても良い。
【００３２】
次に、図２を参照して、画像処理装置１００の操作装置２００及び本体装置３００に含まれるプログラム群の階層構造について説明する。図２は、画像処理装置の操作装置及び本体装置に含まれるプログラム群の階層構造の一例を示す図である。
【００３３】
図２は、操作装置２００に含まれるプログラム群の階層構造、及び本体装置３００に含まれるプログラム群の階層構造を示している。
【００３４】
操作装置２００に含まれるプログラム群は、ＲＯＭ２０２、フラッシュメモリ２０４等に格納されている。本体装置３００に含まれるプログラム群は、ＲＯＭ３０２、ＨＤＤ３０４等に格納されている。
【００３５】
はじめに、本体装置３００に含まれるプログラム群の階層構造について説明する。本体装置３００に含まれるプログラム群は、アプリケーション層３１０、サービス層３２０、及びＯＳ（Operating System）層３３０に大別することができる。
【００３６】
アプリケーション層３１０に区分されるプログラムは、ハードウェア資源を動作させて画像処理機能を実現させるためのプログラムである。具体的には、コピーアプリケーション、スキャンアプリケーション、ＦＡＸアプリケーション、及びプリントアプリケーション等が挙げられる。
【００３７】
サービス層３２０に区分されるプログラムは、アプリケーション層３１０とＯＳ層３２０との間に介在するプログラムである。当該プログラムは、本体装置３００が備えるハードウェア資源を、アプリケーション層３１０のプログラムが利用したり、本体装置３００が備えるハードウェア資源の状態を通知したりするインタフェースとしての役割を果たす。
【００３８】
具体的には、ハードウェア資源に対する動作要求を受け付けたり、受け付けた動作要求の調停を行ったりする。また、ハードウェア資源において検出されたエラーを、エラー情報として送信したりする。尚、サービス層３２０が受け付ける動作要求には、例えば、画像処理エンジン３０５による画像処理の動作要求（スキャナによる読み取り動作要求やプロッタによる印刷動作要求等）が含まれる。
【００３９】
尚、サービス層３２０に区分されるプログラムが果たすインタフェースとしての役割は、操作装置２００のアプリケーション層２１０に対しても同様である。すなわち、操作装置２００のアプリケーション層２１０に区分されるプログラムも、サービス層３２０にアクセスすることにより、本体装置３００のハードウェア資源を動作させて、画像処理機能を実現させることができる。
【００４０】
ＯＳ層３３０に区分されるプログラムは、基本ソフトウェアと呼ばれるプログラムであり、本体装置３００が有するハードウェア資源を制御する基本機能を提供する。ＯＳ層３３０に区分されるプログラムは、アプリケーション層３１０に区分されるプログラムからのハードウェア資源に対する動作要求を、サービス層３２０に区分されるプログラムを介して受け付けて、当該動作要求に応じた処理を実行する。また、ＯＳ層３３０に区分されるプログラムが実行されることにより、ハードウェア資源において検出されたエラーを受信し、エラー情報としてサービス層３２０に渡す。
【００４１】
次に、操作装置２００に含まれるプログラム群の階層構造について説明する。本体装置３００と同様に、操作装置２００に含まれるプログラム群も、アプリケーション層２１０、サービス層２２０、及びＯＳ層２３０に大別することができる。
【００４２】
ただし、アプリケーション層２１０に区分されるプログラムが提供する機能や、サービス層２２０が受け付け可能な動作要求の種類は、本体装置３００とは異なる。操作装置２００のアプリケーション層２１０に区分されるプログラムは、主として、各種操作や表示を行うためのユーザインタフェース機能を提供する。
【００４３】
尚、本実施形態では、操作装置２００と本体装置３００とで、ＯＳは独立して動作するものとする。また、操作装置２００と本体装置３００とが相互に通信可能であれば、ＯＳが同じ種類である必要はない、例えば、操作装置２００ではＯＳにＡｎｄｒｏｉｄ（登録商標）を用いる一方で、本体装置３００ではＯＳにＬｉｎｕｘ（登録商標）を用いることも可能である。
【００４４】
このように、画像処理装置１００では、操作装置２００と本体装置３００とが異なるＯＳにより制御されるため、操作装置２００と本体装置３００との間の通信は、一装置内のプロセス間通信ではなく、異なる情報処理装置間の通信として行われる。例えば、操作装置２００が受け付けたユーザの各種操作を示す操作情報を本体装置３００へ送信する動作や、本体装置３００が操作装置２００へ表示画面の表示を指示する表示要求を送信する動作が、これに該当する。
【００４５】
ただし、本実施形態の画像処理装置１００は、操作装置２００と本体装置３００とで異なる種類のＯＳが動作している場合に限られず、操作装置２００と本体装置３００とで同一種類のＯＳが動作していても良い。また、本実施形態の画像処理装置１００は、操作装置２００と本体装置３００とでＯＳが独立して動作している場合に限られず、操作装置２００及び本体装置３００上で一のＯＳが動作していても良い。
【００４６】
尚、図１及び図２では、画像処理装置１００は、操作装置２００と本体装置３００とを有する構成としたが、これに限定されない。本実施形態の画像処理装置１００は、例えば本体装置３００に操作装置２００が含まれていても良い。この場合、本体装置３００には操作パネル２０５が設けられることになる。
【００４７】
次に、図３を参照して本実施形態の操作装置２００の機能について説明する。図３は、操作装置の機能を説明する図である。尚、操作装置２００の各機能は、ＣＰＵ２０１がアプリケーション層２１０に区分されるプログラムを実行することで実現される。
【００４８】
本実施形態の操作装置２００は、表示制御処理部２４０、本体連携部２５０、対象処理記憶部２６０を有する。
【００４９】
本実施形態の表示制御処理部２４０は、操作装置２００が受けた操作に基づき、セットした原稿の向きの確認を促す確認画面を操作パネル２０５に表示させる。表示制御処理部２４０の詳細は後述する。
【００５０】
本実施形態の本体連携部２５０は、本体装置３００に対して画像処理機能の実行要求を送信したり、操作パネル２０５上にエラーメッセージやガイダンスメッセージ等の各種メッセージを表示させるためのメッセージ表示要求を本体装置３００から受信したりする。
【００５１】
対象処理記憶部２６０は、画像処理装置１００で実行される処理の種類と、確認画面を表示する対象の処理であるか否かを示す情報と、が対応付けられた一覧を格納する。本実施形態では、確認画面の表示対象となる処理は、予め決められているものとした。
【００５２】
本実施形態における確認画面の表示対象の処理とは、実行する際に原稿の向きの設定が要求される処理である。言い換えれば、確認画面の表示対象の処理とは、操作装置２００において設定された原稿の向きを示す情報を用いて実行される処理である。
【００５３】
以下に、図４を参照して、対象処理記憶部２６０に格納された一覧について説明する。図４は、対象処理記憶部に格納された一覧を説明する図である。
【００５４】
本実施形態の対象処理記憶部２６０に格納された一覧２６１は、処理の種類と、確認画面を表示する対象の処理であるか否かを示す情報（以下、表示対象情報）とが対応付けられている。つまり、一覧２６１では、複数の処理のそれぞれに対し、原稿の向きを示す情報を用いる種類であるか否かを示す情報を対応付けている。
【００５５】
処理の種類は、例えば画像処理装置１００において実行される全ての処理の種類が含まれても良いし、コピー処理の種類のみが含まれていても良い。
【００５６】
図４では、処理の種類「フルカラーコピー処理」と対応する表示対象情報は「×」である。したがって、処理の種類「フルカラーコピー処理」は、確認画面の表示する対象となる処理ではないことがわかる。
【００５７】
同様に、処理の種類「両面印刷処理」と対応する表示対象情報は「○」である。したがって、処理の種類「両面印刷処理」は、確認画面の表示する対象となる処理であることがわかる。
【００５８】
尚、図４の例では、表示対象情報において表示対象であることを示す例として「○」、表示対象でないことを示す例として「×」としたが、これに限定されない。表示対象情報では、表示対象であることを、例えば「Ｙｅｓ」等とし、表示対象でないことを例えば「Ｎｏ」等としてもよい。表示対象情報は、対応する処理の種類が、確認画面を表示する対象の処理であるか否かが判別できれば良い。
【００５９】
尚、確認画面を表示する対象の処理は、図４に示す「両面印刷処理」、「集約印刷処理」、「分割印刷処理」、「ステープル処理」、「パンチ処理」以外にも、製本処理、見開き両面印刷処理、拡大連射印刷処理等がある。
【００６０】
以下に、表示制御処理部２４０についてさらに説明する。本実施形態の表示制御処理部２４０は、入力受付部２４１、対象処理判定部２４２、表示制御部２４３を有する。
【００６１】
本実施形態の入力受付部２４１は、操作パネル２０５に対する入力を受け付ける。対象処理判定部２４２は、対象処理記憶部２６０を参照し、入力受付部２４１が受け付けた操作と対応する処理が、確認画面を表示する対象の処理か否かを判定する。
【００６２】
表示制御部２４３は、対象処理判定部２４２による判定結果に応じて、操作に対応する指示を実行する前に確認画面を表示させる。
【００６３】
以下に、図５を参照して本実施形態の操作装置２００の動作について説明する。図５は、操作装置の動作を説明するフローチャートである。
【００６４】
本実施形態の操作装置２００は、表示制御処理部２４０の入力受付部２４１により、操作パネル２０５において実行する処理を選択する操作を受け付けたか否かを判定する（ステップＳ５０１）。尚、本実施形態の操作パネル２０５の表示の詳細は後述する。ステップＳ５０１において、操作を受け付けない場合、入力受付部２４１は操作を受け付けるまで待機する。
【００６５】
ステップＳ５０１において、操作を受け付けた場合、表示制御処理部２４０は、入力受付部２４１により、選択された処理の実行指示の操作を受け付けたか否かを判定する（ステップＳ５０２）。
【００６６】
ステップＳ５０２において、実行指示を受け付けていない場合、入力受付部２４１は、操作を受け付けるまで待機する。尚、本実施形態では、所定の時間以内に実行指示を受け付けなかった場合には、表示制御処理部２４０は、操作パネル２０５の表示を、ステップＳ５０１で表示された、処理を選択するための画面から、ホーム画面へ切り替えても良い。
【００６７】
ステップＳ５０２において、実行指示を受け付けた場合、表示制御処理部２４０は、対象処理判定部２４２により、対象処理記憶部２６０を参照し、実行指示を受け付けた処理が確認画面を表示させる対象の処理であるか否かを判定する（ステップＳ５０３）。
【００６８】
ステップＳ５０３において、対象の処理でない場合、操作装置２００は、後述するステップＳ５０７へ進む。
【００６９】
ステップＳ５０３において、対象の処理であった場合、表示制御処理部２４０は、表示制御部２４３により、原稿をセットする向きの確認を促す確認画面を表示させる（ステップＳ５０４）。尚、確認画面の詳細は後述する。
【００７０】
続いて表示制御処理部２４０は、入力受付部２４１により、所定時間内に、確認画面において処理の実行指示がなされたか否かを判定する（ステップＳ５０５）。
【００７１】
ステップＳ５０５において、所定時間内に実行指示がなされない場合、表示制御処理部２４０は、入力受付部２４１により、所定時間内に、確認画面において前の画面に戻る操作が成されたか否かを判定する。（ステップＳ５０６）。
【００７２】
ステップＳ５０６において所定時間内に該当する操作がなされない場合、表示制御処理部２４０は、処理を終了する。尚、この場合、ステップＳ５０１で選択された処理は実行されない。また、表示制御処理部２４０は、操作パネル２０５の表示を、確認画面から、ステップＳ５０１で表示された処理を選択するための画面やホーム画面に切り替えても良い。
【００７３】
ステップＳ５０６において、所定時間内に該当する操作がなされた場合、表示制御処理部２４０は、ステップＳ５０１へ戻る。
【００７４】
ステップＳ５０５において、処理の実行指示がなされた場合、表示制御処理部２４０は、
本体連携部２５０に対し、実行指示の本体装置３００への送信を要求し、本体連携部２５０は、この要求を受けて、本体装置３００へ処理の実行要求を送信し、処理を終了する（ステップＳ５０７）。
【００７５】
以下に、図６及び図７を参照し、本実施形態の操作装置２００における画面の遷移について説明する。
【００７６】
図６は、操作装置の操作パネルにおける画面遷移の例を示す図である。図６（Ａ）は、操作パネル２０５に表示されたコピー処理のトップ画面の例を示しており、図６（Ｂ）は、両面印刷処理の設定画面の例を示している。図６（Ｃ）は、両面印刷処理の設定後のトップ画面の例を示しており、図６（Ｄ）は確認画面の一例を示している。
【００７７】
図６（Ａ）のトップ画面６１は、例えば図５のステップＳ５０１において操作パネル２０５に表示される画面の例である。図６（Ａ）のトップ画面６１では、トップ画面６１を表示させる画像６２を矢印Ｙ方向にスクロールさせることで、両面印刷処理を選択する表示部品６３が操作パネル２０５に表示される。
【００７８】
トップ画面６１おいて、表示部品６３に対する操作が受け付けられると、操作パネル２０５の表示は、トップ画面６１から図６（Ｂ）に示す両面印刷処理の設定画面６４へ遷移する。尚、本実施形態における操作の受け付けとは、例えば表示部品６３がタッチされることである。
【００７９】
設定画面６４では、両面印刷処理に関する設定が行われ、設定が完了したことを示すＯＫボタン６５Ａが操作されると、操作パネル２０５の表示は、設定画面６４から、図６（Ｃ）に示すトップ画面６１Ａに遷移する。
【００８０】
尚、ここでトップ画面６１に戻るための戻るボタン６５Ｂが操作された場合には、操作パネル２０５の表示は、設定画面６４から図６（Ａ）に示すトップ画面６１へ遷移する。
【００８１】
図６（Ｃ）に示すトップ画面６１Ａでは、両面印刷処理の設定が成されたことを示すメッセージ６６が表示される。尚、トップ画面６１Ａに表示されるメッセージの情報は、例えば操作装置２００のＲＯＭ２０２、ＲＡＭ２０３、フラッシュメモリ２０４等の記憶装置において、各種の処理と対応付けて格納されていても良い。
【００８２】
トップ画面６１Ａにおいて、スタートボタン６７が操作されると、表示制御処理部２４０は、両面印刷処理の実行指示がなされたものと判断する。そして、表示制御処理部２４０は、図６（Ｄ）に示す原稿の向きの確認画面７０を操作パネル２０５に表示させる。
【００８３】
図６（Ｄ）に示す確認画面７０は、図５のステップＳ５０４で表示される画面の例である。尚、本実施形態では、確認画面７０がトップ画面６１Ａに重畳されて表示（例えば、ポップアップ表示）されても良いし、操作パネル２０５の表示がトップ画面６１Ａから確認画面７０に遷移しても良い。
【００８４】
確認画面７０において、スタートボタン７１が操作されると、表示制御処理部２４０は、原稿の向きの確認が終了し、両面印刷処理の実行指示がなされたものと判断する。
【００８５】
ここで、図７を参照して本実施形態の確認画面７０についてさらに説明する。図７は、確認画面の一例を示す図である。
【００８６】
本実施形態の確認画面７０では、現在選択されている処理に対応した原稿方向を示すことで、ユーザに対して原稿が処理と対応した向きにセットされているか否かの確認を促す。
【００８７】
確認画面７０では、メッセージ７２、７３と、原稿の向きを示す画像７４、７５が表示されている。
【００８８】
画像７４は、例えばＡＤＦに原稿をセットする状態を示した画像である。この場合、原稿は、文字が印刷されている面が上を向くようにセットされるため、原稿をセットした状態で、画像処理装置１００の前にいるユーザは文字を読むことができる。メッセージ７２は、この画像７４と対応したメッセージである。
【００８９】
画像７５は、例えばコンタクトガラスに原稿をセットする状態を示した画像である。この場合、原稿は、文字が印刷されている面が下を向くようにセットされるため、原稿をセットした状態では、画像処理装置１００の前にいるユーザは、文字を読むことができない。メッセージ７３は、この画像７５と対応したメッセージである。
【００９０】
図７の例では、メッセージ７２はハイライト表示されており、選択された処理と対応する原稿の向きが、メッセージ７２が示す向き（画像７４が示す状態）であることを示している。つまり、図７の確認画面７０によれば、選択された処理では、原稿の文字が読める方向に原稿がセットされていれば、処理を選択したユーザの意図した出力を得ることができる。
【００９１】
以下に、図８を参照して本実施形態の効果について説明する。図８は、本実施形態の効果を説明する図である。図８に示すトップ画面８１では、原稿の向きを設定する表示部品８２が表示されている。
【００９２】
画像処理装置１００において、原稿の向きの設定が要求される処理が選択された場合、表示部品８２において、原稿の向きが設定され、設定された向きに原稿がセットされることで、ユーザの意図した印刷面で処理が実行される。尚、原稿をセットするとは、原稿をＡＤＦやコンタクトガラスに配置することである。
【００９３】
本実施形態では、上述した原稿の向きの設定が行われているか否かに関わらず、処理の実行指示を受け付けた後に、原稿の向きが処理と対応する向きとなっているか否かの確認を促すことができる。
【００９４】
よって、本実施形態では、原稿の向きの設定が要求されることをユーザが認識しておらず、適切な原稿の向きが設定されないまま処理の実行指示がなされた場合でも、確認画面７０により、セットされた原稿の向きが、自身が選択した処理と対応しているか否かの確認を促すことができる。また、本実施形態によれば、例えばユーザが原稿を向きの設定を要求されていることを認識していない場合でも、ユーザの意図しない処理結果が出力されることを抑制できる。
【００９５】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００９６】
１００  画像処理装置
２００  操作装置
２０５  操作パネル
２１０  アプリケーション層
２４０  表示制御処理部
２４２  対象処理判定部
２４３  表示制御部
３００  本体装置
【先行技術文献】
【特許文献】
【００９７】
【特許文献１】特開２０１４−９７８５９号公報
【図１】
0006786777.tif 000002
【図２】
0006786777.tif 000003
【図３】
0006786777.tif 000004
【図４】
0006786777.tif 000005
【図５】
0006786777.tif 000006
【図６】
0006786777.tif 000007
【図７】
0006786777.tif 000008
【図８】
0006786777.tif 000009